(57)【要約】      （修正有）【課題】取扱いと、修理とか、搬送、及び／又は収納の簡便化が可能な給水車対応給水栓を提供する。【解決手段】第１弁３・第２弁、及び第２弁を支持する第１弁棒６を備えた地下給水栓Ａ／第１弁棒に繋ぐ第２弁棒１０を備え、第１弁棒と第２弁棒とを繋ぐ第１クラッチを備えた地下給水栓に繋ぐ地上給水栓Ｂ／第２弁棒に繋ぐ第３弁棒を備え、第２弁棒と第３弁棒とを繋ぐ第２クラッチを備えた地上給水栓に繋ぐ中間給水栓Ｃ／中間給水栓に設けた操作部／中間給水栓に繋ぐ先部給水栓／で構成した給水車対応給水栓であり、中間給水栓には、第３弁棒に設けた第２歯車に噛合する第１歯車／第１歯車を支持、かつ操作する操作軸／でなる操作部を設け、かつ中間給水栓は、二分割構造の給水車対応給水栓であり、弁棒引抜式で、第１・第２クラッチ、地下・地上・中間・先部給水栓の各繋ぎ部を利用し、三分割〜五分割／一体化可能による管理の容易化を図る。【選択図】図１
2019100399.tif 000002
【特許請求の範囲】
【請求項１】
第１弁及び／又は第２弁を備え、及びこの第２弁を支持する第１弁棒を備えた地下給水栓と、
前記第１弁棒に繋ぐ第２弁棒を備えるとともに、この第１弁棒とこの第２弁棒とを繋ぐ第１クラッチを備えた、前記地下給水栓に繋ぐ地上給水栓と、
前記第２弁棒に繋ぐ第３弁棒を備えるとともに、この第２弁棒とこの第３弁棒とを繋ぐ第２クラッチを備えた、前記地上給水栓に繋ぐ中間給水栓と、
この中間給水栓に設けた操作部と、
この中間給水栓に繋ぐ先部給水栓とで構成した給水車対応給水栓であって、
前記中間給水栓には、前記第３弁棒に設けた第２歯車と、この第２歯車に噛合する第１歯車と、この第１歯車を支持、かつ操作する操作軸とでなる操作部を設け、かつこの中間給水栓は、二分割構造とすることを特徴とした給水車対応給水栓。
【請求項２】
前記中間給水栓の二分割構造は、第２〜第４継手手段で構成し、かつこの第３継手手段とこの第４継手手段との間に副弁を設ける構成とした請求項１に記載の給水車対応給水栓。
【請求項３】
前記操作部は、前記中間給水栓の外側に設けたキャップと、外端を、このキャップの外側に、内端を前記第３弁棒に到る前記操作軸と、このキャップの外端に設けた口金と、前記第１・第２歯車と、で構成した請求項１に記載の給水車対応給水栓。
【請求項４】
前記第１クラッチは、地下給水栓の地面と同じ面位置に設ける構成とした請求項１に記載の給水車対応給水栓。
【請求項５】
前記地下給水栓の地上部位に補助弁を設ける構成とした請求項１に記載の給水車対応給水栓。
【発明の詳細な説明】
【技術分野】
【０００１】
本発明は、不凍水栓を配備できる、例えば、緊急時用の給水車対応給水栓に関する。
【背景技術】
【０００２】
従来、給水車対応給水栓に関しては、本出願人の緊急・応急用の給水車対応給水栓が見当たる。本発明は、この公知の給水車対応給水栓の改良に関する。
【０００３】
そこで、改良に関する先行文献を説明する。改良の狙いは、本発明のポイントである。即ち、本発明が意図する構造であり、弁棒を、少なくとも、第１・第２クラッチを利用し、分割、かつ一体化可能とする。併せて、引抜式とする。また、地下給水栓と、地上給水栓との分離、かつ接続を可能とするとともに、中間給水栓を二分割可能とする。これらの構造を採用し、取扱いと、修理とか、搬送、及び／又は収納の簡便化とすることにある。
【０００４】
弁棒の改良（分割）に関して、特開平９−３１７９１０号公報、又は特開平１０−１３２１０２号公報に、弁棒が複数本開示されている。しかし、この複数本弁棒は、複数本複数の弁箱に設けた構成であり、分割方式ではない。従って、検索結果では、見当たらなかったのが調査結果である。
【０００５】
また、中間給水栓を、地上給水栓と先端給水栓との間に介在した構成で、かつ弁開閉操作部を、横設した構成は、本出願人が提案する。しかし、中間給水栓は、単品構造であって、地上給水栓と先端給水栓との間に介在し、かつ弁開閉操作部を横設した構成に留まっている。従って、弁棒の引抜き時において、手間と作業の複雑化を招く虞があった。
【０００６】
【特許文献１】特開平９−３１７９１０号公報
【特許文献２】特開平１０−１３２１０２号公報
【非特許文献１】株式会社  北川鉄工所のホームページ
【発明の概要】
【発明が解決しようとする課題】
【０００７】
上記に鑑み、本発明は、前述した、弁棒を、引抜式とすることと、少なくとも、第１・第２クラッチを利用し、各繋ぎ部を、分割、かつ一体化可能とし、管理の容易化を図る。また、地下給水栓と、地上給水栓との分離、かつ接続を可能とし、かつ中間給水栓を二分割可能と、小分けにする構造を採用し、取扱いと、修理とか、搬送、及び／又は収納の簡便化とすることにある。
【課題を解決するための手段】
【０００８】
前述の課題を解決し、本発明の意図を達成するために、請求項１−５を提案する。
【発明の効果】
【０００９】
請求項１の発明は、第１弁及び／又は第２弁を備え、及び第２弁を支持する第１弁棒を備えた地下給水栓と、
第１弁棒に繋ぐ第２弁棒を備えるとともに、第１弁棒と第２弁棒とを繋ぐ第１クラッチを備えた、地下給水栓に繋ぐ地上給水栓と、
第２弁棒に繋ぐ第３弁棒を備えるとともに、第２弁棒と第３弁棒とを繋ぐ第２クラッチを備えた、地上給水栓に繋ぐ中間給水栓と、
中間給水栓に設けた操作部と、
中間給水栓に繋ぐ先部給水栓とで構成した給水車対応給水栓であって、
中間給水栓には、第３弁棒に設けた第２歯車と、第２歯車に噛合する第１歯車と、第１歯車を支持、かつ操作する操作軸とでなる操作部を設け、かつ中間給水栓は、二分割構造とする給水車対応給水栓であり、弁棒を、引抜式とすることと、少なくとも、第１・第２クラッチと、地下・地上・中間・先部給水栓の各繋ぎ部とを利用し、三分割〜五分割、かつ一体化可能とし、管理の容易化を図る。また、前記各給水栓の分離、かつ接続を可能とし、かつ中間給水栓を二分割可能と、小分けにする構造を採用し、取扱いと、修理とか、搬送、及び／又は収納の簡便化が図れる。
【００１０】
請求項２の発明は、中間給水栓の二分割構造は、第２〜第４継手手段で構成し、かつ第３継手手段と第４継手手段との間に副弁を設ける構成とした給水車対応給水栓であり、請求項１の特徴と合わせて、弁棒引抜き時の初期の対応が、スムーズに図れる。
【００１１】
請求項３の発明は、操作部は、中間給水栓の外側に設けたキャップと、外端を、キャップの外側に、内端を第３弁棒に到る操作軸と、キャップの外端に設けた口金と、第１・第２歯車と、で構成した給水車対応給水栓であり、請求項１の特徴と合わせて、第１・第２クラッチの解除、又は係合の操作を可能とすることと、弁棒引抜き時の初期の対応が、スムーズに図れる。
【００１２】
請求項４の発明は、第１クラッチは、地下給水栓の地面と同じ面位置に設ける構成とした給水車対応給水栓であり、請求項１の特徴と合わせて、第１クラッチ、及び／又は、地上給水栓の取扱いの容易化が図れる。
【００１３】
請求項５の発明は、地下給水栓の地上部位に補助弁を設ける構成とした給水車対応給水栓であり、請求項１の特徴と合わせて、地下給水栓の停水時の漏洩防止が図れる。
【図面の簡単な説明】
【００１４】
【図１】給水栓の要部断面の縮尺全体図
【図２】地下給水栓の要部断面の拡大全体図
【図３】地上給水栓の要部断面の拡大全体図
【図４】中間給水栓の要部断面の拡大全体図
【図５】先部給水栓の拡大全体図
【図６−１】第１／第２クラッチを更に拡大した断面図
【図６−２】第１／第２クラッチの要部を分解して示した俯瞰図
【図７】地上給水栓の補助弁の要部を更に拡大したＺ−Ｚ端面図
【図８】中間給水栓の弁開閉操作部の要部を更に拡大したＹ−Ｙ端面図
【図９】先部給水栓の要部を更に拡大したＸ−Ｘ端面図
【発明を実施するための形態】
【００１５】
本発明の給水車対応給水栓は、地中に埋設される地下給水栓Ａと、地下給水栓Ａに繋ぎ地上に立設される地上給水栓Ｂと、地上給水栓Ｂに繋がれる中間給水栓Ｃ、及び中間給水栓Ｃに繋がれ、かつ回転自在に設けられる先部給水栓Ｄとの、各パーツで構成される。
【００１６】
以下、各パーツを個別に説明する。
【００１７】
図１と図２等において、地下給水栓Ａは、導水（水道水）取入れ口１を備え、地中の最下端に設けた（配備した）取入れ管１００と、この取入れ管１００の上に配備した第１弁箱２と、この第１弁箱２に内設したボール弁３（第１弁）と、第１弁箱２に配備した縦長形状の管状の第２弁箱４と、この第２弁箱４に内設した玉形弁５（第２弁）、及び玉形弁５を開閉する（第２弁箱４に内設した）第１弁棒６と、この第１弁棒６が内挿され、かつ前記第１弁箱２の上に）に繋がる第１給水管４ａと、で構成される。この第１給水管４ａの上に設けた第１クラッチ受止め片７ａと、後述する地上給水栓Ｂの第２弁棒１０の下に設けた第１クラッチ差込み片７ｂとの嵌合により、この地下給水栓Ａの上に、地上給水栓Ｂが繋がる。この繋ぎは、フランジ１１と止め具１２（第１継手手段）を利用して、固定するとともに、第１クラッチ受止め片７ａと、第１クラッチ差込み片７ｂとの嵌合により、この地下給水栓Ａの上に、地上給水栓Ｂが繋がり、かつ地上給水栓Ｂは、地面ＧＬに立設される。ボール弁３は、第２弁箱４に併設した第１操作杆８の操作によって、回転されることで、取入れ管１００の流路を開閉する。即ち、取入れ口１からの水を、取入れ管１００内で遮断し、使用しない際の漏洩防止とか、又は開放し、この開放では、取入れ口１からの水を、後述する地上給水栓Ｂに送る。ボール弁３の傾きで、ボール弁３の周壁と第１弁箱２との内面との間に形成される隙間（水路）調整が達成できる。図中９は不凍水抜栓を示すが一例であり、他の例もあり得る。尚、玉形弁５は、第２弁箱４に昇降自在に設けた弁取付ベース（図示せず）に取付けられており、この弁取付ベースに刻設した螺子部は、第１弁棒６の下にある螺子部に噛合している。従って、第１弁棒６の回転（後述する弁開閉操作部の操作で回転する）で、玉形弁５は、上下動する。この上下動で第２弁箱４を開閉する。このボール弁３と玉形弁５との個別の操作構造を採用することで、後述するように、玉形弁５は、ボール弁３とは、個別に開閉する。ボール弁３と、玉形弁５とにより、個別の開閉で、取入れ口１からの水を、個別、及び／又は、同時に規制し、地下給水栓Ａの水の流れと、この流れ等を規制する。また、前記の個別開閉は、その他として、地下給水栓Ａの保守管理に利用する。尚、ボール弁３と、玉形弁５（第２弁）とは、対の例と、図示しないが、それぞれ単独に配備する例等とがある。
【００１８】
前述した第１クラッチ受止め片７ａと、第１クラッチ差込み片７ｂとで第１クラッチ７を構成する。その詳細を示した、図６−１と図６−２等において、第１クラッチ受止め片７ａに、第２弁棒１０の下への押圧により、第１クラッチ差込み片７ｂを差込み固定すると、第１弁棒６と第２弁棒１０とが繋がり、かつ第１クラッチ７が働くとともに、第２弁棒１０の動きが、第１弁棒６に伝達される。また、第２弁棒１０の引抜き（持ち上げ）で、第１クラッチ差込み片７ｂが、第１クラッチ受止め片７ａより外れ、第１弁棒６より第２弁棒１０が外れると、第１クラッチ７は解体され、かつ第１クラッチ７は働かない。図中７ｃは第１クラッチ７の振れ止めで、第１給水管４ａに配備されている。
【００１９】
図１と図３等において、地上給水栓Ｂは、下（下端）にフランジ１１を、上（上端）にフランジ１５（第２継手手段）を備えた第２給水管１６と、この第２給水管１６に内設した第２弁棒１０と、また、第２給水管１６に配備し、かつ補助水を供給する補助弁１８を備えた取入れ管１９と、で構成されている。この地上給水栓Ｂのフランジ１５と止め具１２（第２継手手段）を利用して、地上給水栓Ｂと中間給水栓Ｃを固定するとともに、地上給水栓Ｂの上に、中間給水栓Ｃが繋がり、かつ地上給水栓Ｂの上に、中間給水栓Ｃが立設される。この状態において、中間給水栓Ｃ（短管２１ａ）の下端に設けた第２クラッチ差込み片２０ｂを、地上給水栓Ｂの上端に設けた第２クラッチ受止め片２０ａへ嵌合することにより、第２クラッチ２０（第２クラッチ差込み片２０ｂと、地上給水栓Ｂの受止め片２０ａとで第２クラッチ２０となる）が働き、第２弁棒１０と第３弁棒２７とが繋がる。即ち、第３弁棒２７の動きが、第２弁棒１０に伝達される。
【００２０】
尚、第２クラッチ受止め片２０ａと、第２クラッチ差込み片２０ｂとでなる第２クラッチ２０の構成の詳細は、図６−１と図６−２等を活用する（第１クラッチ７と同じ構成である）。また、第２クラッチ２０の働きは、第１クラッチ７に準ずる。
【００２１】
図１と図４等において、中間給水栓Ｃは、後述するように、二分割構造であって、短管２１ａと短管２１ｂとの組み合わせである。短管２１ａと短管２１ｂとは、第３継手手段（フランジ３０と止め具１２）で分離、又は繋ぎ（一体化）可能である。この短管２１ａ、及び短管２１ｂで第３給水管２１を構成する。そして、この第３給水管２１の短管２１ａには、弁開閉操作部２３（第１弁棒６、第２弁棒１０を上下動する操作部）を横設する。この弁開閉操作部２３は、短管２１ａに横設するケース２４と、このケース２４を貫設し、短管２１ａに到る操作軸２４ａと、この操作軸２４ａに設けた第１歯車２５（第１歯車２５は、短管２１ａに内設してある）と、この第１歯車２５に噛合する、短管２１ａ内に設けた第２歯車２６と、この第２歯車２６が設けられた第３弁棒２７と（第３弁棒２７は、短管２１ａに鉛直方向に軸支されている。また、上端に第３クラッチ「他のクラッチと同じ」を設けることも有り得る）、が設けられている。尚、第２クラッチ２０は、短管２１ｂと地上給水栓Ｂ（第２給水管１６）との接続部に内設されている。尚、短管２１ａと短管２１ｂとは、第３継手手段（フランジ３０と止め具１２）により、分離、又は、繋ぎ可能である。図中３１は短管２１ｂに横設した第２副弁である。
【００２２】
図１と図５等において、先部給水栓Ｄは、第２給水管１６の先端管部３４であって、中間配水栓Ｃとの間に設けた第４継手手段（フランジ３５と止め具１２とでなる第４継手手段）で、空中に向って延設される。そして、第４継手手段に設けた鞘管部３６とスプリング等のチャッキング部３７とを介して、回転自在、かつ抜け防止を図る構造であり、給水車（図示せず）には、先端管部３４の開口３４００（給水口）より給水する。図中３８はハンドルであり、先端管部３４（先部給水栓Ｄ）を回転する役割である。
【００２３】
続いて、給水に関して説明すると、弁開閉操作部２３を操作することで、第１歯車２５と第２歯車２６とが回転する。この回転により、第１弁棒６と第２弁棒１０、及び第３弁棒２７が、それぞれ回転する。第１弁棒６の回転で、地下給水栓Ａの弁取付ベースが上昇し、かつ玉形弁５と、地上配水栓Ｂの第２副弁３１が、開放されるとともに、地下給水栓Ａの取入れ口１から取入れ管１００に到った水は、開放されたボール弁３、及び第１弁箱２から、開放された玉形弁５、及び第２弁箱４を通過し、地上給水栓Ｂの第２給水管１６を経由し、中間給水栓Ｃの第３給水管２１に到る。その後、先部給水栓Ｄの先端管部３４から、この先端管部３４の開口３４００より給水される。また、この給水を停止する場合は、前述の逆操作である。
【００２４】
また、修理の一例に関して説明する。一例として、各パーツを解体し、修理する例とする。先ず、先端管部３４を、鞘管部３６より引き抜く。先端管部３４、鞘管部３６とかチャッキング部３７等の修理（交換）ができる。先部給水栓Ｄの場合には、当然に、この、先部給水栓Ｄを取外すのみで可能であり、後述の説明で理解できると考えられる。先ず、第４継手手段（止め具１２が、例えば、ボルト、ナットとすると、このボルト、ナットを、フランジ３５より取り外し、併せて、フランジ３５を切り離すと、先部給水栓Ｄの取り外しができる。以下、同じ）を解体する。これにより、少なくとも、中間給水栓Ｃ（第３給水管２１「短管２１ｂ」）の上端が解放される。続いて、第３継手手段を解体する。これにより、少なくとも、中間給水栓Ｃ（第３給水管２１の中間、又は短管２１ａの上端）が解放される。従って、第３弁棒２７が解放されるとともに、弁開閉操作部２３の解体も可能である。また、第３弁棒２７、及び／又は、第２クラッチ２０の解体ができる。即ち、中間給水栓Ｃの下端にある第２クラッチ差込み片２０ｂより、地上給水栓Ｂにある第２クラッチ受止め片２０ａの引抜きができる。このようにして、また、第２継手手段を解体し、短管２１ａを取外すと、この中間給水栓Ｃ（第３給水管２１）全体は取外しが終わる。よって、地上給水栓Ｂの第２給水管１６の上端が解放される。第２弁棒１０の引抜きができるとともに、第１クラッチ７の解体、即ち、地下給水栓Ａの上端にある第１クラッチ受止め片７ａより、地上給水栓Ｂにある第１クラッチ差込み片７ｂの引抜きができる。また、地上給水栓Ｂに配備した部品、例えば、補助弁１８の修理とか交換もできる（他の修理も同じ）。第１クラッチ７の解体により、地下給水栓Ａの少なくとも、地下給水栓Ａの上面と、第１給水管４ａの内部は開放される。よって、第１給水管４ａは開放される。また、地下給水栓Ａは、地中である。また、埋設された第１弁箱２・第２弁箱４等とか、取入れ管１００等の修理は、同様に掘り起こしが必要である。この状態での第１弁棒６の引抜きは可能であり、かつ第１給水管４ａの修理も可能である。そして、符号なしの複数のフランジの解体で、例えば、第１弁箱２とか、ボール弁３、取入れ管１００の修理とかが可能となる。
【００２５】
以上で説明した各実施例とか、それぞれの構成、効果等は、好ましい、一例を示したものであり、同様な構成とか、効果、又は特徴を有する各実施例とか方法等は、本発明の範疇である。
【符号の説明】
【００２６】
Ａ  地下給水栓
Ｂ  地上給水栓
Ｃ  中間給水栓
Ｄ  先部給水栓
１  取入れ口
１００  取入れ管
２  第１弁箱
３  ボール弁
４  第２弁箱
４ａ  第１給水管
５  玉形弁
６  第１弁棒
７  第１クラッチ
７ａ  第１クラッチ受止め片
７ｂ  第１クラッチ差込み片
７ｃ  振れ止め
８  第１操作杆
９  不凍水抜栓
１０  第２弁棒
１１  フランジ
１２  止め具
１５  フランジ
１６  第２給水管
１８  補助弁
１９  取入れ管
２０  第２クラッチ
２０ａ  第２クラッチ受止め片
２０ｂ  第２クラッチ差込み片
２０ｃ  振れ止め
２１  第３給水管
２１ａ  短管
２１ｂ  短管
２３  弁開閉操作部
２４  ケース
２４ａ  操作軸
２５  第１歯車
２６  第２歯車
２７  第３弁棒
３０  フランジ
３１  第２副弁
３４  先端管部
３４００  開口
３５  フランジ
３６  鞘管部
３７  チャッキング部
３８  ハンドル
【図１】
2019100399.tif 000003
【図２】
2019100399.tif 000004
【図３】
2019100399.tif 000005
【図４】
2019100399.tif 000006
【図５】
2019100399.tif 000007
【図６−１】
2019100399.tif 000008
【図６−２】
2019100399.tif 000009
【図７】
2019100399.tif 000010
【図８】
2019100399.tif 000011
【図９】
2019100399.tif 000012